(57)【要約】【課題】エレベータ用のガイドレールを効率よく搬送する。【解決手段】エレベータ用レール搬送装置１０は、ガイドレール７０の案内部７１の両側の据付部７２を覆う据付部表面覆部１１aと、ガイドレール７０の設置面７２ａを覆う設置面覆部と、設置面覆部と据付部表面覆部１１aを連結するレール端覆部１３とを有する。据付部表面覆部１１aには表面側貫通穴対５１が形成され、設置面７２ａには表面側貫通穴対５１に貫通方向位置が同じになる設置面貫通穴が形成される。設置面覆部にはガイドレール７０の搬送路面を走行する底部側ローラ２２が取り付けられ、レール端覆部１３の端部には搬送経路を走行する端部側ローラ２１が取り付けられる。底部側ロータ２２および端部側ローラ２１の間で設置面覆部およびレール端覆部１３の境界付近には、中間ローラ２３が取り付けられる。【選択図】図１
2011148579.tif 000002
【特許請求の範囲】
【請求項１】
エレベータ乗りかごが上下移動する昇降路内に形成された鉛直方向のレール据付面に接する略長方形状の設置面が裏面側に形成された据付部と、この据付部の表面側に形成されて前記設置面の短手方向中央から垂直に突出するように形成されて前記据付部の長手方向に沿って延びた案内部と、を有するエレベータ用のガイドレールを搬送するためのエレベータ用レール搬送装置において、
前記案内部の短手方向両側それぞれの前記据付部の表面側を覆い、それぞれの貫通方向位置が、前記案内部の短手方向両側それぞれの前記据付部表面に形成された取付け用貫通穴の貫通方向位置と同じになるように複数の表面側貫通穴が形成された据付部表面覆部と、
前記設置面の一方の長手方向端部付近を覆い、それぞれの貫通方向位置が、前記取付け用貫通穴および表面側貫通穴それぞれの貫通方向位置と同じになるように複数の設置面貫通穴が形成された設置面覆部と、
前記設置面覆部および各据付部表面覆部を前記長手方向端部側で連結し、前記ガイドレールの前記長手方向端部の少なくとも一部を覆うレール端覆部と、
前記レール端覆部がある方の前記設置面覆部の端部付近に取り付けられて、前記ガイドレールの搬送路面を走行可能な底部側ローラと、
前記レール端覆部の端部側に取り付けられて前記搬送経路を走行可能な端部側ローラと、
前記底部側ロータおよび端部側ローラの間で、前記設置面覆部およびレール端覆部の境界付近に取り付けられて、前記搬送経路を走行可能な中間ローラと、
を有することを特徴とするエレベータ用レール搬送装置。
【請求項２】
前記底部側ローラ、端部側ローラ、および中間ローラそれぞれは、着脱可能に構成されていることを特徴とする請求項１に記載のエレベータ用レール搬送装置。
【請求項３】
前記底部側ローラ、端部側ローラ、および中間ローラそれぞれは、回転しないように固定可能に構成されていることを特徴とする請求項１または請求項２に記載のエレベータ用レール搬送装置。
【請求項４】
前記ガイドレールが前記設置面覆部、据付表面覆部、およびレール端覆部で覆われているときに、
前記案内部の短手方向両側にある前記据付部表面覆部それぞれに、互いに対向するように前記短手方向に所定の短手方向間隔をあけて形成された２つの前記表面側貫通穴で一対となる表面側貫通穴対が形成されて、
前記表面側貫通穴対が、前記据付部表面の長手方向に互いに所定の長手方向間隔をあけて複数配列されて、
前記各表面側貫通穴対それぞれの前記短手方向間隔は、互いに異なるように形成されていること、
を特徴とする請求項１ないし請求項３のいずれか一項に記載のエレベータ用レール搬送装置。
【請求項５】
エレベータ乗りかごが上下移動する昇降路内に形成された鉛直方向のレール据付面に接する略長方形状の設置面が裏面側に形成された据付部と、この据付部の表面側に形成されて前記設置面の短手方向中央から垂直に突出するように形成されて前記据付部の長手方向に沿って延びた案内部と、を有するエレベータ用のガイドレールを、複数同時に搬送するためのエレベータ用レール搬送装置集合体において、
前記エレベータ用レール搬送装置それぞれは、
前記案内部の短手方向両側それぞれの前記据付部の表面側を覆い、それぞれの貫通方向位置が、前記案内部の短手方向両側それぞれの前記据付部表面に形成された取付け用貫通穴の貫通方向位置と同じになるように複数の表面側貫通穴が形成された据付部表面覆部と、
前記設置面の一方の長手方向端部付近を覆い、それぞれの貫通方向位置が、前記取付け用貫通穴および表面側貫通穴それぞれの貫通方向位置と同じになるように複数の設置面貫通穴が形成された設置面覆部と、
前記設置面覆部および各据付部表面覆部を前記長手方向端部側で連結し、前記ガイドレールの前記長手方向端部の少なくとも一部を覆うレール端覆部と、
前記レール端覆部がある方の前記設置面覆部の端部付近に取り付けられて、前記ガイドレールの搬送路面を走行可能な底部側ローラと、
前記レール端覆部の端部側に取り付けられて前記搬送経路を走行可能な端部側ローラと、
前記底部側ロータおよび端部側ローラの間で、前記設置面覆部およびレール端覆部の境界付近に取り付けられて、前記搬送経路を走行可能な中間ローラと、
を有し、
前記エレベータ用レール搬送装置それぞれを、前記設置面覆部の短手側端部同士が対向するように配列した状態で、隣り合う前記エレベータ用レール搬送装置同士が連結可能に構成されていること、
を特徴とするエレベータ用レール搬送装置集合体。
【請求項６】
前記各設置面覆部それぞれを横断するように配置されて、前記底部側ローラが取り付けられている側の前記設置面覆部それぞれに着脱可能な連結バーを有すること、を特徴とする請求項５に記載のエレベータ用レール搬送装置集合体。
【発明の詳細な説明】
【技術分野】
【０００１】
本発明は、エレベータ用のガイドレールを搬送するエレベータ用レール搬送装置およびその集合体に関する。
【背景技術】
【０００２】
一般に、ビル等の建屋にエレベータを据え付けるための作業には、乗りかご等を案内するためのガイドレールを昇降路内に搬送して設置する工程が含まれる。近年、建屋の高層化が進むに伴って昇降路も長くなる。昇降路が長くなると、複数本のガイドレールの端部同士を突き合わせた状態で直列に連結する必要がある。
【０００３】
複数本のガイドレールを昇降路の外で連結すると、ガイドレールを昇降路内に引き込む引込口（乗場出入り口）から、引き込めなくなる。このため、ガイドレールを連結する作業は、連結前の各ガイドレールそれぞれを昇降路内に引き込んだ後に、昇降路内で行われている。
【０００４】
エレベータ用のガイドレールを搬送する作業方法は、例えば、特許文献１に開示されているように、ガイドレールの端部に車輪を取り付けて、ガイドレールを搬送する方法等が知られている。
【先行技術文献】
【特許文献】
【０００５】
【特許文献１】特開平５−３３８９５５号公報
【発明の概要】
【発明が解決しようとする課題】
【０００６】
ガイドレールを昇降路内へ搬入するとき、すなわち、乗場出入り口等からガイドレールを引き込むときに、建屋の床面や壁面等を損傷させる可能性がある。また、上記の例のように、単に、ガイドレールの端部に車輪を設けるだけでは、搬送中にガイドレールが床面に対してなす角度が時々刻々変化するような場合には、安定して搬送させることが困難になることもある。
【０００７】
本発明は上述した課題を解決するためになされたものであり、その目的は、エレベータ用のガイドレールを効率よく搬送できるようにすることである。
【課題を解決するための手段】
【０００８】
上記目的を達成するための本発明に係るエレベータ用レール搬送装置は、エレベータ乗りかごが上下移動する昇降路内に形成された鉛直方向のレール据付面に接する略長方形状の設置面が裏面側に形成された据付部と、この据付部の表面側に形成されて前記設置面の短手方向中央から垂直に突出するように形成されて前記据付部の長手方向に沿って延びた案内部と、を有するエレベータ用のガイドレールを搬送するためのエレベータ用レール搬送装置において、前記案内部の短手方向両側それぞれの前記据付部の表面側を覆い、それぞれの貫通方向位置が、前記案内部の短手方向両側それぞれの前記据付部表面に形成された取付け用貫通穴の貫通方向位置と同じになるように複数の表面側貫通穴が形成された据付部表面覆部と、前記設置面の一方の長手方向端部付近を覆い、それぞれの貫通方向位置が、前記取付け用貫通穴および表面側貫通穴それぞれの貫通方向位置と同じになるように複数の設置面貫通穴が形成された設置面覆部と、前記設置面覆部および各据付部表面覆部を前記長手方向端部側で連結し、前記ガイドレールの前記長手方向端部の少なくとも一部を覆うレール端覆部と、前記レール端覆部がある方の前記設置面覆部の端部付近に取り付けられて、前記ガイドレールの搬送路面を走行可能な底部側ローラと、前記レール端覆部の端部側に取り付けられて前記搬送経路を走行可能な端部側ローラと、前記底部側ロータおよび端部側ローラの間で、前記設置面覆部およびレール端覆部の境界付近に取り付けられて、前記搬送経路を走行可能な中間ローラと、を有することを特徴とする。
【０００９】
また、本発明に係るエレベータ用搬送装置集合体は、エレベータ乗りかごが上下移動する昇降路内に形成された鉛直方向のレール据付面に接する略長方形状の設置面が裏面側に形成された据付部と、この据付部の表面側に形成されて前記設置面の短手方向中央から垂直に突出するように形成されて前記据付部の長手方向に沿って延びた案内部と、を有するエレベータ用のガイドレールを、複数同時に搬送するためのエレベータ用レール搬送装置集合体において、前記エレベータ用レール搬送装置それぞれは、前記案内部の短手方向両側それぞれの前記据付部の表面側を覆い、それぞれの貫通方向位置が、前記案内部の短手方向両側それぞれの前記据付部表面に形成された取付け用貫通穴の貫通方向位置と同じになるように複数の表面側貫通穴が形成された据付部表面覆部と、前記設置面の一方の長手方向端部付近を覆い、それぞれの貫通方向位置が、前記取付け用貫通穴および表面側貫通穴それぞれの貫通方向位置と同じになるように複数の設置面貫通穴が形成された設置面覆部と、前記設置面覆部および各据付部表面覆部を前記長手方向端部側で連結し、前記ガイドレールの前記長手方向端部の少なくとも一部を覆うレール端覆部と、前記レール端覆部がある方の前記設置面覆部の端部付近に取り付けられて、前記ガイドレールの搬送路面を走行可能な底部側ローラと、前記レール端覆部の端部側に取り付けられて前記搬送経路を走行可能な端部側ローラと、前記底部側ロータおよび端部側ローラの間で、前記設置面覆部およびレール端覆部の境界付近に取り付けられて、前記搬送経路を走行可能な中間ローラと、を有し、前記エレベータ用レール搬送装置それぞれを、前記設置面覆部の短手側端部同士が対向するように配列した状態で、隣り合う前記エレベータ用レール搬送装置同士が連結可能に構成されていること、を特徴とする。
【発明の効果】
【００１０】
本発明によれば、エレベータ用のガイドレールを効率よく搬送することが可能になる。
【図面の簡単な説明】
【００１１】
【図１】本発明に係る第１の実施形態のエレベータ用レール搬送装置がガイドレールに取り付けられた状態を示す概略斜視図である。
【図２】図１のエレベータ用レール搬送装置を設置面側から見た概略斜視図である。
【図３】図１のエレベータ用レール搬送装置単体の概略斜視図である。
【図４】図２のエレベータ用レール搬送装置の概略正面図である。
【図５】図４のV−V矢視側面図である。
【図６】図４のVI−VI矢視側面図である。
【図７】図１のエレベータ用レール搬送装置を用いて、昇降路内にガイドレールを引き込む作業の状態を示す概略斜視図である。
【図８】図１のエレベータ用レール搬送装置を用いて、昇降路内にガイドレールを引き込む作業手順を示すフローチャートである。
【図９】本発明に係る第２の実施形態のエレベータ用レール搬送装置の設置面側から見た概略斜視図である。
【図１０】図９のX部を拡大した拡大斜視図である。
【発明を実施するための形態】
【００１２】
以下、本発明に係るエレベータ用レール搬送装置の実施形態について、図面を用いて説明する。
【００１３】
［第１の実施形態］
本発明に係るエレベータ用レール搬送装置１０の第１の実施形態について、図１〜図７を用いて説明する。図１は、本実施形態のエレベータ用レール搬送装置１０がガイドレール７０に取り付けられた状態を示す概略斜視図である。図２は、図１のエレベータ用レール搬送装置１０単体を設置面１２側（裏側）から見た概略斜視図である。図３は、図１のエレベータ用レール搬送装置１０単体の概略斜視図である。図４は、図２のエレベータ用レール搬送装置１０の概略正面図である。図５は、図４のV−V矢視側面図である。図６は、図４のVI−VI矢視側面図である。
【００１４】
図７は、図１のエレベータ用レール搬送装置１０を用いて、昇降路１０２内にガイドレール７０を引き込む作業の状態を示す概略斜視図である。なお、図７では、ウインチ１１０は、２点鎖線により仮想的に示している。図８は、図１のエレベータ用レール搬送装置１０を用いて、昇降路１０２内にガイドレール７０を引き込む作業手順を示すフローチャートである。
【００１５】
本実施形態のエレベータ用レール搬送装置１０の構成について説明する。
【００１６】
このエレベータ用レール搬送装置１０は、昇降路１０２（図７）内に取り付けられるガイドレール７０の一方の端部側に取り付けられた状態で、当該ガイドレール７０を搬送するための装置である。
【００１７】
当該昇降路１０２は、内部を乗りかご等が上下移動する上下に延びた通路で、エレベータを設置する建屋に形成される。建屋の階層には、昇降路１０２内を走行する乗りかごに乗降するための乗降口等が形成されている。
【００１８】
当該ガイドレール７０は、据付部７２と、案内部７１と、を有する。据付部７２は、略長方形の設置面７２ａが裏面側に形成されている。この設置面７２ａは、昇降路１０２内に形成された鉛直方向のレール据付面（図示せず）に接するように構成される。案内部７１は、この据付部７２の表面側に、据付部７２の長手方向に沿って延びるように形成される。この案内部７１は、設置面７２ａの短手方向中央から垂直に突出するように形成されている。ガイドレール７０が昇降路１０２内に設置されているときには、この案内部７１に沿って、乗りかご等が上下移動可能である。
【００１９】
また、このガイドレール７０の端部付近には、案内部７１の短手方向両側それぞれの据付部７２に、複数の取付け用貫通穴５５が形成されている。これらの取付け用貫通穴５５は、案内部７１を挟んで対向する２つの取付け用貫通穴５５が一対となって、取付け用貫通穴対を構成する。取付け用貫通穴対が、ガイドレール７０の長手方向に沿って互いに所定の長手方向間隔をあけて複数対形成されている。これらの取付け用貫通穴５５は、ガイドレール７０同士の端部を突き合わせて直列に連結するときに、レール用継目板（図示せず）等を取り付けるために形成されている。
【００２０】
ガイドレール７０についての詳細な説明は省略するが、取付け用貫通穴５５の穴位置等は、ＪＩＳ規格やＩＳＯ規格等で定められている。本実施形態のエレベータ用レール搬送装置１０は、これらの規格に定められたガイドレール７０を搬送するものである。
【００２１】
このエレベータ用レール搬送装置１０は、据付部表面覆部１１と、設置面覆部１２と、レール端覆部１３と、複数のローラ２１、２２、２３を有する。ガイドレール７０の一方の長手方向端部の一部は、これらの据付部表面覆部１１、設置面覆部１２およびレール端覆部１３で覆われている。
【００２２】
この据付部表面覆部１１は、第１据付部表面覆部１１ａおよび第２据付部表面覆部１１ｂを有する。第１および第２据付部表面覆部１１ａ、１１ｂそれぞれは、ガイドレール７０の据付部７２の表面側で、且つ、案内部７１の短手方向両側それぞれを覆うように配置される。
【００２３】
第１据付部表面覆部１１ａの表面には、複数の第１表面側貫通穴５１ａが、第１据付部表面覆部１１ａの長手方向に沿って互いに所定の間隔をあけて配列されるように形成されている。第２据付部表面覆部１１ｂの表面にも、第１据付部表面覆部１１ａと同様に、複数の第２表面側貫通穴５１ｂが形成されている。
【００２４】
案内部７１を挟んで対向する第１および第２表面側貫通穴５１ａ、５１ｂは、一対の表面側貫通穴対５１を構成する。この表面側貫通穴対５１が、据付部表面覆部１１の長手方向に互いに所定の長手方向間隔をあけて６つ形成されている。これら６つの表面側貫通穴対５１それぞれの第１および第２表面側貫通穴５１ａ、５１ｂ同士の間隔（穴間隔）は、互いに異なるように形成されている。この穴間隔は、上述したようにＪＩＳ等の規格で定められている。
【００２５】
６つの表面側貫通穴対５１のうち少なくとも１つの表面側貫通穴対５１の貫通方向位置は、上述したガイドレール７０の取付け用貫通穴対の貫通方向位置と同じになるように形成されている。
【００２６】
設置面覆部１２は、設置面７２ａの一方の長手方向端部付近を覆う。すなわち、設置面覆部１２は、第１および第２据付部表面覆部１１ａ、１１ｂそれぞれと共に、ガイドレール７０を挟むように配置されている。設置面覆部１２には、複数の設置面貫通穴５８が形成されている。これらの設置面貫通穴５８は雌ねじが形成されたねじ穴である。また、これらの設置面貫通穴５８の貫通方向位置は、上述した表面側貫通穴対５１の貫通方向位置と同じになるように形成されている。
【００２７】
レール端覆部１３は、設置面覆部１２と、第１および第２据付部表面覆部１１ａ、１１ｂそれぞれと、を長手方向端部側で連結する。また、このレール端覆部１３は、ガイドレール７０の長手方向端部の少なくとも一部を覆うように形成されている。
【００２８】
ガイドレール７０の取付け用貫通穴５５の貫通方向位置は、少なくとも１つの表面側貫通穴対５１の貫通方向位置およびこの表面側貫通穴対５１に対応する設置面貫通穴５８それぞれの貫通方向位置と、互いに同じになるように構成されている。これにより、各貫通穴に固定用ボルト８１を貫通させて設置面貫通穴５８のねじ部に固定することが可能になる。これにより、据付部表面覆部１１、設置面覆部１２およびレール端覆部１３で、ガイドレール７０の一方の長手方向端部付近を覆った状態で、当該ガイドレール７０に固定される。
【００２９】
図１の例では、６つの表面側貫通穴対５１のうち、最もレール端覆部１３側に形成された表面側貫通穴対５１に固定用ボルト８１を貫通させて、エレベータ用レール搬送装置１０をガイドレール７０に固定している。
【００３０】
複数のローラは、底部側ローラ２２と、端部側ローラ２１と、中間ローラ２３と、を含む。
【００３１】
底部側ローラ２２は、設置面覆部１２の端部付近に、短手方向に沿って互いに間隔をあけて２つ配列される。これらの底部ローラそれぞれは、着脱可能に取り付けられて、ガイドレール７０を搬送するための路面、例えば、建屋の床面を転がりながら走行可能である。ガイドレール７０の長手方向と路面とのなす角度が、４５度以下の状態で搬送されるときには、この底部側ローラ２２を走行させて搬送するとよい。
【００３２】
端部側ローラ２１は、レール端覆部１３の端部に、短手方向に沿って互いに間隔をあけて２つ配列される。これらの端部側ローラ２１それぞれは、着脱可能に取り付けられて上記路面を走行可能である。ガイドレール７０の長手方向が路面に対してほぼ垂直に立ち上がる状態で搬送されるときには、この端部側ローラ２１を走行させて搬送するとよい。
【００３３】
中間ローラ２３は、底部側ローラ２２および端部側ローラ２１の間で、設置面覆部１２およびレール端覆部１３の境界付近に、短手方向に沿って互いに間隔をあけて２つ配列される。これらの中間ローラ２３は、着脱可能に取り付けられて、上記路面を走行可能である。ガイドレール７０の長手方向と路面とのなす角度が、４５度近傍の状態で搬送されるときには、この底部側ローラ２２を走行させて搬送するとよい。
【００３４】
例えば、ガイドレール７０の一方の端部にエレベータ用レール搬送装置１０が取り付けられた状態で、もう一方の端部付近を作業者が支持した状態で、当該ガイドレールを搬送するときは、底部側ローラ２２および中間ローラ２３が床面に接して走行する。
【００３５】
このように、ガイドレール７０を搬送するときのガイドレール７０の傾きに応じて、ローラを使い分けることができる。
【００３６】
また、これらの底部側ローラ２２、端部側ローラ２１、および中間ローラ２３それぞれは、ローラの回転を固定可能に構成されている。
【００３７】
続いて、エレベータ用レール搬送装置１０を用いて、昇降路１０２内にガイドレール７０を引き込む作業手順について説明する。当該作業は、２人で行う場合について説明する。
【００３８】
先ず、所定の場所に仮置きされているガイドレール７０を、昇降路１０２内に引き込むための引込口（乗場出入口）１００があるホール１０１まで移動させる（ステップＳ１）。
【００３９】
次に、昇降路１０２上方に配置されたウインチ１１０に巻かれたワイヤロープ９０を、ガイドレール７０の一方の長手方向端部付近に引っ掛ける（ステップＳ２）。ここで昇降路１０２上方のウインチ１１０は、ガイドレール７０を昇降路１０２内に引き込むために昇降路１０２上方に設置されたものである。当該ワイヤロープ９０は、取付け用貫通穴５５を貫通させた状態で引っ掛ける。この状態で、ワイヤロープ９０が引っ掛けられた側と反対側に、上述したエレベータ用レール搬送装置１０を取り付ける（ステップＳ３）。
【００４０】
この状態で、作業員のうちの１人が、昇降路１０２内のピットへ移動してウインチ１１０を操作可能な状態で待機する。もう１人はホール１０１で待機する（ステップＳ４）。
【００４１】
ピット内の作業者は、ワイヤロープ９０でガイドレール７０を昇降路１０２上方に引き上げるようにウインチ１１０を操作する。この操作に応じて、ホール１０１にいる作業者は、エレベータ用レール搬送装置１０の底部側ローラ２２および中間ローラ２３がホール１０１床面上を走行する状態を保ちながらガイドレール７０を誘導する（ステップＳ５、図７）。
【００４２】
この状態から、さらに、ガイドレール７０を引き上げるようにウインチ１１０の操作を継続させると、当該ガイドレール７０が乗場出入口１００を通過する。ガイドレール７０が乗場出入口１００を通過した後は、当該ガイドレール７０の長手方向が昇降路１０２内で鉛直になるように吊り下げられた状態になる（ステップＳ６）。
【００４３】
この後に、ガイドレール７０をピットに下ろすようにウインチ１１０を操作する（ステップＳ７）。このとき、ガイドレール７０は、長手方向が鉛直の状態がピット床面に立てられた状態が保持されている。
【００４４】
この後に、ピット床面上で端部側ローラ２１を走行させて、ガイドレール７０を鉛直に立てられた状態で所定の位置に移動させる。このとき、端部側ローラ２１を転がすことで、ウインチ１１０等で吊り上げなくてもガイドレール７０を移動させることができる。ガイドレール７０を所定の位置まで移動させた状態で、端部側ローラ２１等が回転しないように固定する（ステップＳ８）。
【００４５】
このとき、エレベータ用レール搬送装置１０を取り外してもよい。この後に、ワイヤロープ９０をガイドレール７０から取り外して（ステップＳ９）、ガイドレール７０を昇降路１０２内に引き込む作業が完了する（ステップＳ１０）。
【００４６】
以上の説明からわかるように、本実施形態によれば、エレベータ用レール搬送装置１０がガイドレール７０に固定された状態で、ガイドレール７０を搬送できるため、より安全に搬送作業を行うことが可能になる。また、ガイドレール７０の搬送中の傾きに応じて、底部側ローラ２２、中間ローラ２３、および端部側ローラ２１、それぞれを使い分けることができるため、ガイドレール７０が安定した状態で搬送できる。
【００４７】
これにより、エレベータ用のガイドレール７０を効率よく搬送することが可能になる。
【００４８】
［第２の実施形態］
本発明に係るエレベータ用レール搬送装置１０の第２の実施形態について、図９および図１０を用いて説明する。図９は、本実施形態のエレベータ用レール搬送装置１０の設置面７２ａ側から見た概略斜視図である。図１０は、図９のX部を拡大した拡大斜視図である。なお、本実施形態は、第１の実施形態（図１〜図６）の変形例であって、第１の実施形態と同一部分または類似部分には、同一符号を付して、重複説明を省略する。
【００４９】
本実施形態のエレベータ用レール搬送装置１０は、第１の実施形態で説明したエレベータ用レール搬送装置１０（図２〜図６）が４つ並列に配置されて、搬送装置集合体を構成している。この搬送装置集合体の各エレベータ用レール搬送装置１０それぞれは、隣り合うエレベータ用レール搬送装置１０の設置面覆部１２の短手側端部同士が接するように配置される。同様に、隣り合うエレベータ用レール搬送装置１０の据付部表面覆部１１の短手側端部同士が接している。
【００５０】
また、搬送装置集合体は、複数の連結用貫通穴６１が形成された角柱状の連結バー６０を有する。連結用貫通穴６１は、連結バー６０の長手方向に沿って互いに間隔をあけて配列されている。この連結バー６０は、各設置面覆部１２を横断するように配置される。
【００５１】
各設置面覆部１２のレール端覆部１３の反対側の端部付近には、ねじ穴（図示せず）が形成されている。連結バー６０は、連結用貫通穴６１を貫通した固定用ボルト８１がこれらのねじ穴に取り付けられて、各設置面覆部１２に固定される。
【００５２】
一方、ガイドレール７０のエレベータ用レール搬送装置１０が取り付けられた側の反対側の端部付近に、レール連結バー６５によって固定される。このレール連結バー６５は、並列に並んだガイドレール７０それぞれを横断するように配置されて、それぞれの設置面７２ａに固定用ボルト８１等で固定されている。
【００５３】
このように複数のエレベータ用レール搬送装置１０を連結することで、複数本のガイドレール７０を同時に昇降路１０２内に引き込むことが可能になる。よって、第１の実施形態に比べて、搬送効率が向上する。
【００５４】
［その他の実施形態］
上記実施形態の説明は、本発明を説明するための例示であって、特許請求の範囲に記載の発明を限定するものではない。また、本発明の各部構成は上記実施形態に限らず、特許請求の範囲に記載の技術的範囲内で種々の変形が可能である。
【００５５】
例えば、第１の実施形態では、設置面貫通穴５８に雌ねじ部が形成されているが、これに限らない。設置面貫通穴５８は単なる貫通穴でもよい。この場合、固定用ボルト８１とナットを用いて、エレベータ用レール搬送装置１０をガイドレール７０に固定するとよい。
【００５６】
また、底部側ローラ２２、端部側ローラ２１、および中間ローラ２３それぞれは、２つずつでなくてもよく、それぞれ１つずつ、またはそれぞれ３つ以上設けてもよい。
【００５７】
また、第１の実施形態で、所定の場所に仮置きされているガイドレール７０を、昇降路１０２内に引き込むための乗場出入口１００があるホール１０１まで移動させた後に、ガイドレール７０にエレベータ用レール搬送装置１０を取り付けているが、これに限らない。例えば、仮置きされているときに、当該エレベータ用レール搬送装置１０を取り付けてもよい。
【符号の説明】
【００５８】
１０…エレベータ用レール搬送装置、１１…据付部表面覆部、１１ａ…第１据付部表面覆部、１１ｂ…第２据付部表面覆部、１２…設置面覆部、１３…レール端覆部、２１…端部側ローラ、２２…底部側ローラ、２３…中間ローラ、５１…表面側貫通穴対、５１ａ…第１表面側貫通穴、５１ｂ…第２表面側貫通穴、５５…取付け用貫通穴、５８…設置面貫通穴、６０…連結バー、６１…連結用貫通穴、６５…レール連結バー、７０…ガイドレール、７１…案内部、７２…据付部、７２ａ…設置面、８１…固定用ボルト、９０…ワイヤロープ、１００…乗場出入口、１０１…ホール、１０２…昇降路、１１０…ウインチ
【図１】
2011148579.tif 000003
【図２】
2011148579.tif 000004
【図３】
2011148579.tif 000005
【図４】
2011148579.tif 000006
【図５】
2011148579.tif 000007
【図６】
2011148579.tif 000008
【図７】
2011148579.tif 000009
【図８】
2011148579.tif 000010
【図９】
2011148579.tif 000011
【図１０】
2011148579.tif 000012